(57)【要約】【課題】ユーザが外出先においても撮影した画像データを容易に特定のファイルサーバに転送できるようにすること。【解決手段】メモリカード読み取り装置（読み出し手段）１は、システムコントローラ２によって制御されている。メモリカード６は、画像データファイルなどを保存するための記録媒体である。モデム７は、電話回線を用いてメモリカード読み取り装置１と外部の通信を実現する機能を有している。記録媒体内の特定の記録領域には、ファイルサーバ１６，１７，１８上の特定領域の位置を示す位置情報が記録されており、記録媒体が読み出し手段１に装着された際に、読み出し手段１は、位置情報とファイルを読み出し、ファイル転送手段は、読み出し手段１により読み出された位置情報が示すファイルサーバ１６，１７，１８上の特定領域に読み出されたファイルを転送する。【選択図】　　　　図１
2004145537.tif 000002
【特許請求の範囲】
【請求項１】
ファイルを記録するための着脱可能な記録媒体と、該記録媒体を装着可能で、装着時には該記録媒体からファイルを読み出す読み出し手段と、ネットワークに接続され、大容量のファイルを蓄積する複数のファイルサーバと、前記読み出し手段を前記ネットワークに接続し、該読み出し手段により読み出されたファイルを前記ファイルサーバに転送するファイル転送手段とを備えるファイル記録システムであって、
前記記録媒体内の特定の記録領域には、前記ファイルサーバ上の特定領域の位置を示す位置情報が記録されており、前記記録媒体が前記読み出し手段に装着された際に、該読み出し手段は、前記位置情報とファイルを読み出し、前記ファイル転送手段は、前記読み出し手段により読み出された位置情報が示す前記ファイルサーバ上の特定領域に、読み出されたファイルを転送するように構成されていることを特徴とするファイル記録システム。
【発明の詳細な説明】
【０００１】
【発明の属する技術分野】
本発明は、ファイル記録システムに関し、より詳細には、デジタルカメラ等によって撮影され、メモリカード等に記録された画像ファイルをファイルサーバに転送するファイル記録システムに関する。
【０００２】
【従来の技術】
近年、銀塩カメラをしのぐ勢いで普及しているデジタルカメラは、このカメラに装着したメモリカードに撮影した画像データを一時的に記録し、記録された画像データを随時大容量記憶装置に転送することにより、メモリカードを再利用できるようにした点において、再利用の不可能な銀塩フィルムを使用する銀塩カメラよりも優れている。しかしながら、銀塩フィルムは、比較的容易に外出先で安価に購入できるという利点がある。一方、メモリカードは、どこでも容易に購入できるわけではなく、また高価であるという難点がある。
【０００３】
したがって、デジタルカメラのユーザは、外出時に多くの画像を撮影する場合には、予め余分のメモリカードを持ち歩く必要があった。また、持参した余分のメモリカードをも使い切った場合には、さらなる画像を撮影することが不可能であった。
【０００４】
そのため、従来、セルラー電話によりファイルサーバに接続し、画像ファイルをファイルサーバに転送するカメラが提案されている（例えば、特許文献１参照）。また、多くのインターネットプロバイダーは、ユーザがファイルサーバ上のある程度の容量のディスクスペースを利用できるサービスを提供している。さらに、今後は、ファイルサーバのディスクスペースを部分的に貸し出すような事業形態も増加すると予想されている。
【０００５】
【特許文献１】
特開平９−３０７７９４号公報
【０００６】
【発明が解決しようとする課題】
しかしながら、画像ファイルをインターネット等のネットワークを経由してファイルサーバに転送する場合、ユーザは自身が利用可能なファイルサーバ提供者とファイルサーバ上の領域を指定するために、電話番号やＩＰアドレス等を順次入力し、しかる後に転送すべきファイルを順次転送する必要があり、非常に煩雑な操作を要求されていたため不便であった。
【０００７】
一方、ディスクスペース貸し出し業者は、使い勝手の悪さのために多くのユーザを獲得することが困難となり、経営に支障をきたすという問題があった。
【０００８】
本発明は、このような問題に鑑みてなされたもので、その目的とするところは、ユーザが外出先においても撮影した画像データを容易に特定のファイルサーバに転送できるようにしたファイル記録システムを提供することにある。
【０００９】
【課題を解決するための手段】
本発明は、このような目的を達成するために、請求項１に記載の発明は、ファイルを記録するための着脱可能な記録媒体と、該記録媒体を装着可能で、装着時には該記録媒体からファイルを読み出す読み出し手段と、ネットワークに接続され、大容量のファイルを蓄積する複数のファイルサーバと、前記読み出し手段を前記ネットワークに接続し、該読み出し手段により読み出されたファイルを前記ファイルサーバに転送するファイル転送手段とを備えるファイル記録システムであって、前記記録媒体内の特定の記録領域には、前記ファイルサーバ上の特定領域の位置を示す位置情報が記録されており、前記記録媒体が前記読み出し手段に装着された際に、該読み出し手段は、前記位置情報とファイルを読み出し、前記ファイル転送手段は、前記読み出し手段により読み出された位置情報が示す前記ファイルサーバ上の特定領域に、読み出されたファイルを転送するように構成されていることを特徴とする。
【００１０】
【発明の実施の形態】
以下、図面を参照して本発明の実施形態について説明する。
図１は、本発明のファイル記録システムの一実施形態を説明するための構成図である。図中符号１は、メモリカード読み取り装置で、このメモリカード読み取り装置１は、システムコントローラ２によって制御されている。このシステムコントローラ２は、ＲＯＭ３に書き込まれている制御プログラムを実行することにより、メモリカード読み取り装置１の制御を行う。スイッチ群４には、転送開始指示などに使用する操作スイッチなどが含まれている。
【００１１】
メモリカードスロット５は、メモリカード６とメモリカード読み取り装置１とを接続するためのものである。メモリカード６は、画像データファイルなどを保存するための記録媒体である。モデム７は、電話回線を用いてメモリカード読み取り装置１と外部の通信を実現する機能を有している。コネクタ８は、モデム７と外部の電話線を接続するためのものである。ＬＡＮ（ローカルエリアネットワーク）インターフェース９は、メモリカード読み取り装置１とネットワーク幹線を接続するためのインターフェースである。
【００１２】
本実施形態では使用されないが、コンビニエンスストア等のＫＩＯＳＫに設置されたネットワーク機器等に接続する場合にも使用される。ディスプレイ１０は、撮影された画像やユーザーへのメニュー画面などを表示するためのものである。ＲＡＭ１１は、一時的にデータを格納するためのものである。
【００１３】
メモリカード読み取り装置１は、公衆電話１２の筐体に内蔵されて設置されており、メモリカード読み取り装置１と公衆電話１２の間の接続はモジュラーケーブル１３によりなされている。メモリカードスロット５は、例えば、メモリカード６の一つであるＣＦカードが挿抜可能となっており、公衆電話機の前面よりユーザがそのＣＦカードの挿抜を行うようになっている。
【００１４】
図２は、メモリカード読み取り装置において、画像ファイルをファイルサーバに転送する動作について説明するためのフローチャートを示す図である。
【００１５】
まず、ユーザがＣＦカードをメモリカードスロット５に挿入すると、図示しない割込み信号により、システムコントローラ２に割り込みが入り、このシステムコントローラ２は、ＲＯＭ３より割り込みハンドラを読み出して実行する。割り込みハンドラは、ＣＦカードの挿入を検知して、同じくＲＯＭ３に格納されたファイル転送アプリケーションを起動する。
【００１６】
次に、ファイル転送アプリケーションは、図２のステップＳ１０１にて処理を開始する。ファイル転送アプリケーションは、処理を開始すると、まず、ステップＳ１０２において、ファイル転送先となるファイルサーバ１６，１７，１８の所在をＣＦカードの所定の領域より読み出す。この領域は通常のファイルシステムの管轄下でない方が好ましく、例えば、アトリビュートメモリ領域（ＣＩＳ）に記録されている。
【００１７】
このようにして、ファイルサーバ１６，１７，１８の所在を工場出荷時または販売店頭で顧客販売する時点で書き込んで、顧客が入手した後に書きかえることを禁止することも可能になる。
【００１８】
ファイルサーバ１６，１７，１８の所在は、例えば、電話番号とＵＲＬの組み合わせで表現されている。ファイル転送アプリケーションは、ステップＳ１０３において、ステップＳ１０２で読み出したファイルサーバ１６，１７，１８の所在情報をディスプレイ１０に表示するとともに、図３に示すように、デフォルトの転送メニューを表示する。これは、ＣＦカード内の全ファイルを転送した後に、ＣＦカード内のファイルを全て削除するかどうかをユーザに問う内容である。
【００１９】
ユーザは、スイッチ群４を用いてＹｅｓかＮｏかを指示する。ファイル転送アプリケーションは、ステップＳ１０４において、ユーザの入力を読み取り、Ｙｅｓの場合は、ステップＳ１０５において直ちにファイル転送を開始する。まず、モデム７を制御することにより、ステップＳ１０２において読み取った電話番号に発呼し、ＴＣＰ／ＩＰ（トランスミッション制御プロトコル／インターネットプロトコル）およびＰＰＰ（ポイントツーポイントプロトコル）によってディスクスペース貸し出し業者１４のネットワーク１５に接続する。
【００２０】
ネットワーク１５上には、ファイルサーバ１６，１７，１８が存在する。これらのファイルサーバ１６，１７，１８うち、ステップＳ１０２において読み取ったＵＲＬに該当するディレクトリ（本実施例ではファイルサーバ１７）にファイルを転送する（ステップＳ１０６）。
【００２１】
ファイル転送アプリケーションは、ステップＳ１０７においてファイルサーバ１６，１７，１８がファイルを確実に受け取ったことを確認し、さらに、ステップＳ１０８においてＣＦカード内の全ファイルを消去する。もしも、ステップＳ１０７においてファイル転送の成功が確認されなかった場合は、処理をもう一度ステップＳ１０６に戻し、ファイル転送を再度開始する。転送が成功している場合は、ステップＳ１０９においてネットワーク１５の接続を切断し、プログラムの実行を終了する（ステップＳ１１０）。
【００２２】
ステップＳ１０４において読み取られたユーザ入力がＮｏの場合は、ステップＳ１１１において、図４に示すように、ファイル選択メニューをディスプレイ１０に表示する。ユーザは、スイッチ群４を操作して、表示されたサムネイル画像を参考にしてするファイルを指定する。ここではＣＦカード内に撮影によって生成された画像を含む実体ファイル、Ｉｍｇ０００１．ｊｐｇ、Ｉｍｇ０００２．ｊｐｇ、Ｉｍｇ０００３．ｊｐｇ、Ｉｍｇ０００４．ｊｐｇの４つのファイルが存在していたとする。
【００２３】
またユーザは、Ｉｍｇ０００１．ｊｐｇ、Ｉｍｇ０００２．ｊｐｇ、Ｉｍｇ０００３．ｊｐｇの３つのファイルを被転送ファイルとして選択したとする。選択されたサムネイル画像は青く点滅する。
【００２４】
ファイルの選択後、ファイル転送アプリケーションは、ステップＳ１１２においてディスプレイ１０に、図５に示すように、ファイル転送開始の確認画面を表示し、ユーザは、スイッチ群４によりファイルの転送の開始を指示する。ファイル転送アプリケーションは、ステップＳ１０４と全く同様の制御により、ユーザの入力を読み取り、Ｙｅｓの場合は、ステップＳ１１３においてネットワーク１５を接続し、ステップＳ１１４において選択されたファイルの転送を開始する。
Ｎｏの場合は、ステップＳ１１２に戻る。
【００２５】
ファイル転送アプリケーションは、ステップＳ１１５においてファイルサーバ１６，１７，１８がファイルを確実に受け取ったことを確認し、続いて、ステップＳ１１６において転送済みのファイルをＣＦカードから削除するかどうかを、図６に示すような確認画面によりユーザに問い合わせる。削除する指示を受けた場合は、ステップＳ１１７において転送済みのファイルを削除し、ステップＳ１１８においてネットワーク１５を切断した後、アプリケーションを終了する（ステップＳ１１０）。削除しない場合は、直ちにアプリケーションを終了する（ステップＳ１１０）。
【００２６】
ステップＳ１１５において、ファイル転送の成功が確認されなかった場合は、処理をもう一度ステップＳ１１４に戻してファイル転送を再度開始する。
【００２７】
＜実施形態におけるファイル記録システムの使用例＞
図７は、本ファイル記録システムの第１の使用例を示す図である。
まず、記録媒体生産者２１は、記録媒体販売者２２に対して記録媒体を価格Ａで納入する。記録媒体販売者２２は、工場出荷状態の記録媒体に対してファイル転送先データの登録を行い、記録媒体販売者２２の利益Ｂを上乗せした価格Ａ＋Ｂで記録媒体を販売する。
【００２８】
次にユーザ２３は、記録媒体販売者２２より価格Ｃで記録媒体を購入する。Ａ＋Ｂ＞Ｃの関係があり、記録媒体販売者２２は、この時点でＡ＋Ｂ−Ｃの代価負担を行う。記録媒体販売者２２は、上述した登録したファイル転送先データを提供するディスクスペース貸し出し業者２４より販売促進代金Ｄを受領して代価負担を補填する。
【００２９】
さらにユーザ２３は、ファイル転送サービスを利用する都度、ディスクスペース利用代金Ｅをディスクスペース貸し出し業者２４に支払う。
【００３０】
このような利用形態をとることにより、ユーザ２３は、通常の記録媒体の価格Ａ＋Ｂよりも安い価格Ｃで記録媒体を購入することができる。記録媒体販売者２２は、通常の記録媒体を販売するときと同等の媒体当たりの利益を確保しつつ販売量を増やすことが可能となる。ディスクスペース貸し出し業者２４は、販売量の増大に伴なって利用者を増大することができる。
【００３１】
次に、本ファイル記録システムの第２の使用例としては、ディスクスペース貸し出し業者２４が、記録媒体生産者２１に対して販売促進代金Ｄを支払う。記録媒体生産者２１は、記録媒体に対してファイル転送先データの登録を行い、記録媒体を価格Ａ−Ｄで記録媒体販売者２２に納入する。記録媒体販売者２２は、利益Ｂを上乗せした価格Ａ−Ｄ＋Ｂで記録媒体を販売する。ユーザ２３は、やはりＡ＋Ｂよりも安い価格で記録媒体を購入できるので、第１の使用例と同等の効果を得られる。
【００３２】
本ファイル記録システムの第１及び第２の使用例においては、ファイル転送先データをユーザ２３が書き換えることが出来ないように設定されており、ディスクスペース貸し出し業者２４の販売促進代金Ｄ分の代価を不正に転用されることを防止している。
【００３３】
次に、本ファイル記録システムの第３の使用例としては、ディスクスペース貸し出し業者２４が直接ユーザ２３に対してファイル転送先データを発行し、ユーザ２３自身が記録媒体に登録する。この場合は、価格的な優位性は得られないが、ユーザが複数のディスクスペース貸し出し業者２４から好みの１つを選択でき、気に入らない場合には、別の業者に変更することも可能となり、利便性が向上する。
【００３４】
以下に本発明の実施形態の例を記載する。
［実施形態１］
ファイルを記録するための着脱可能な記録媒体と、該記録媒体を装着可能で、装着時には該記録媒体からファイルを読み出す読み出し手段と、ネットワークに接続され、大容量のファイルを蓄積する複数のファイルサーバと、前記読み出し手段を前記ネットワークに接続し、該読み出し手段により読み出されたファイルを前記ファイルサーバに転送するファイル転送手段とを備えるファイル記録システムであって、前記記録媒体内の特定の記録領域には、前記ファイルサーバ上の特定領域の位置を示す位置情報が記録されており、前記記録媒体が前記読み出し手段に装着された際に、該読み出し手段は、前記位置情報とファイルを読み出し、前記ファイル転送手段は、前記読み出し手段により読み出された位置情報が示す前記ファイルサーバ上の特定領域に、読み出されたファイルを転送するように構成されていることを特徴とするファイル記録システム。
【００３５】
［実施形態２］
前記記録媒体に記録されている前記位置情報は、書き換え禁止となっていることを特徴とする実施形態１に記載のファイル記録システム。
【００３６】
［実施形態３］
前記記録媒体から前記ファイルサーバに正しく転送されたファイルは、前記記録媒体から削除されることを特徴とする実施形態１に記載のファイル記録システム。
【００３７】
［実施形態４］
前記記録媒体に記録されたファイルは、すべて前記ファイルサーバに転送されることを特徴とする実施形態３に記載のファイル記録システム。
【００３８】
［実施形態５］
ファイルを記録するための着脱可能な記録媒体を装着可能で、装着時には該記録媒体からファイルを読み出す読み出し手段と、該読み出し手段をネットワークに接続し、該読み出し手段により読み出されたファイルを前記ネットワークに接続された複数のファイルサーバに転送するファイル転送手段とを備えるファイル記録システムにおけるファイル記録方法であって、前記記録媒体内の特定の記録領域には、前記ファイルサーバ上の特定領域の位置を示す位置情報が記録されており、前記記録媒体が前記読み出し手段に装着された際に、該読み出し手段は、前記位置情報とファイルを読み出し、前記ファイル転送手段は、前記読み出し手段により読み出された位置情報が示す前記ファイルサーバ上の特定領域に、読み出されたファイルを転送するように構成されていることを特徴とするファイル記録方法。
【００３９】
［実施形態６］
前記記録媒体に記録されている前記位置情報は、書き換え禁止となっていることを特徴とする実施形態５に記載のファイル記録方法。
【００４０】
［実施形態７］
前記記録媒体から前記ファイルサーバに正しく転送されたファイルは、前記記録媒体から削除されることを特徴とする実施形態５に記載のファイル記録方法。
【００４１】
［実施形態８］
前記記録媒体に記録されたファイルは、すべて前記ファイルサーバに転送されることを特徴とする実施形態７に記載のファイル記録方法。
【００４２】
［実施形態９］
記憶媒体に記憶されているファイルと該ファイルの転送先の位置情報とを該記憶媒体から読み出し、当該読み出した位置情報で特定されるサーバの特定領域に、当該読み出したファイルを転送するよう制御することを特徴とするファイル転送方法。
【００４３】
［実施形態１０］
ファイルを、該ファイルが転送されるべきサーバの特定領域を示す位置情報と共に記憶媒体に記録するよう制御することを特徴とするファイル記録方法。
【００４４】
【発明の効果】
以上説明したように本発明によれば、ファイルサーバ提供者とファイルサーバ上の領域を示す情報が予め記録媒体に格納されているため、ユーザは外出先等においても極めて簡便にファイル転送を行うことが出来るという効果がある。
【００４５】
また、ファイルサーバ提供者は、ファイル転送の使い勝手を向上させることが可能なため、ユーザを獲得することが容易となり、経営を発展させることができる。さらに、記録媒体の価格を、ファイルサーバ提供者が販売促進を行うための費用に転嫁することが可能となるため、ユーザはより安い価格で記録媒体を購入することができ、記録媒体生産者および記録媒体販売者はより多くの記録媒体を販売することが可能となる。
【図面の簡単な説明】
【図１】本発明のファイル記録システムの一実施形態を説明するための構成図である。
【図２】メモリカード読み取り装置において、画像ファイルをファイルサーバに転送する動作について説明するためのフローチャートを示す図である。
【図３】デフォルトの転送メニューの表示例を示す図である。
【図４】ファイル選択メニューの表示例を示す図である。
【図５】ファイル転送開始の確認画面の表示例を示す図である。
【図６】ファイル削除開始の確認画面の表示例を示す図である。
【図７】本ファイル記録システムの第１の使用例を示す図である。
【符号の説明】
１　メモリカード読み取り装置
２　システムコントローラ
３　ＲＯＭ
４　スイッチ群
５　メモリカードスロット
６　メモリカード
７　モデム
８　コネクタ
９　ＬＡＮ（ローカルエリアネットワーク）インターフェース
１０　ディスプレイ
１１　ＲＡＭ
１２　公衆電話機
１３　モデムケーブル
１４　ディスクスペース貸し出し業者
１５　ネットワーク
１６　ファイルサーバ
１７　ファイルサーバ
１８　ファイルサーバ
２１　記録媒体生産者
２２　記録媒体販売者
２３　ユーザ
２４　ディスクスペース貸し出し業者
【図１】
2004145537.tif 000003
【図２】
2004145537.tif 000004
【図３】
2004145537.tif 000005
【図４】
2004145537.tif 000006
【図５】
2004145537.tif 000007
【図６】
2004145537.tif 000008
【図７】
2004145537.tif 000009
【手続補正書】
【提出日】平成15年11月28日(2003.11.28)
【手続補正２】
【補正対象書類名】明細書
【補正対象項目名】特許請求の範囲
【補正方法】変更
【補正の内容】
【特許請求の範囲】
【請求項１】
ファイル転送先の位置情報とファイルとを記憶した着脱可能な記録媒体から、前記ファイルと前記位置情報とを読み出す読み出し手段と、
　該読み出し手段によって読み出されたファイルを、前記読み出した位置情報によって特定されるサーバ上の特定領域に転送するファイル転送手段と
　を有することを特徴とするファイル記録システム。
【請求項２】
前記記録媒体に記憶されている前記位置情報は、書き換え禁止となっていることを特徴とする請求項１に記載のファイル記録システム。
【請求項３】
前記記録媒体から前記サーバに正しく転送されたファイルを前記記録媒体から削除する削除手段を更に有することを特徴とする請求項１に記載のファイル記録システム。
【請求項４】
前記記録媒体に記憶されたファイルは、すべて前記サーバに転送されることを特徴とする請求項３に記載のファイル記録システム。
【請求項５】
前記記録媒体に記憶されたファイルの中から、前記ファイル転送手段で転送されるファイルをユーザに選択させる選択手段を更に有することを特徴とする請求項１に記載のファイル記録システム。
【請求項６】
前記ファイルを格納する複数のサーバを更に有し、前記位置情報は前記複数のサーバの少なくともいずれかのサーバの特定領域を示すことを特徴とする請求項１に記載のファイル記録システム。
【請求項７】
前記記録媒体に記憶されている前記位置情報は、ＵＲＬを含むことを特徴とする請求項１に記載のファイル記録システム。
【請求項８】
前記位置情報は、前記メモリカードの出荷前、あるいは顧客への販売前に、前記記録媒体に記憶されていることを特徴とする請求項１に記載のファイル記録システム。
【請求項９】
記録媒体に記憶されているファイルを、ネットワークを介して所定のサーバに転送するファイル転送方法であって、
　前記記録媒体に記憶されている前記ファイルと前記ファイルの転送先の位置情報とを該記録媒体から読み出す工程と、
　当該読み出した位置情報で特定されるサーバの特定領域に、当該読み出したファイルを転送するよう制御する工程と
　を備えたことを特徴とするファイル転送方法。
【請求項１０】
前記記録媒体に記憶されている前記位置情報は、書き換え禁止となっていることを特徴とする請求項９に記載のファイル転送方法。
【請求項１１】
前記記録媒体から前記サーバに正しく転送されたファイルを前記記録媒体から削除する削除工程を更に備えることを特徴とする請求項９に記載のファイル転送方法。
【請求項１２】
前記記録媒体に記憶されたファイルは、すべて前記サーバに転送されることを特徴とする請求項９に記載のファイル転送方法。
【請求項１３】
前記記録媒体に記憶されたファイルの中から、前記ファイル転送工程で転送されるファイルをユーザに選択させる選択工程を更に有することを特徴とする請求項９に記載のファイル転送方法。
【請求項１４】
前記位置情報は、ファイルを格納する複数のサーバの少なくともいずれかのサーバの特定領域を示すことを特徴とする請求項９に記載のファイル転送方法。
【請求項１５】
前記記録媒体に記憶されている前記位置情報は、ＵＲＬを含むことを特徴とする請求項９に記載のファイル転送方法。
【請求項１６】
前記位置情報は、前記メモリカードの出荷前、あるいは顧客への販売前に、前記記録媒体に記憶されていることを特徴とする請求項９に記載のファイル転送方法。
【請求項１７】
ファイルを記憶するための情報記憶媒体であって、
　取得したファイルを格納するファイル格納領域と、
　該ファイル格納領域に格納された前記ファイルを所定のサーバに転送し、該サーバの特定領域に格納する際に用いられる、前記サーバの特定領域のアドレス情報を格納するサーバアドレス情報格納領域とを有し、
　前記ファイルは、読み出し装置により読み出された際に、前記アドレス情報により特定されるサーバの特定領域に転送されることを特徴とする情報記憶媒体。
【請求項１８】
前記サーバアドレス情報格納領域に格納されている前記位置情報は、書き換え禁止となっていることを特徴とする請求項１７に記載の情報記憶媒体。
【請求項１９】
情報記憶媒体に記憶されているファイルを、ネットワークを介して所定のサーバに転送するように装置を制御するための、コンピュータ実行可能な制御プログラムであって、
　前記情報記憶媒体に記憶されている前記ファイルと前記ファイルの転送先の位置情報とを該情報記憶媒体から読み出す工程と、
　当該読み出した位置情報で特定されるサーバの特定領域に、当該読み出したファイルを転送するよう制御する工程とを、コンピュータに実行させるためのプログラムコードを含むことを特徴とするコンピュータ実行可能な制御プログラム。
【請求項２０】
情報記憶媒体に記憶されているファイルを、ネットワークを介して所定のサーバに転送するように装置を制御するための、コンピュータ読み取り可能なコンピュータプログラムを格納した記憶媒体であって、
　該コンピュータプログラムが、前記記憶媒体に記憶されている前記ファイルと前記ファイルの転送先の位置情報とを該記憶媒体から読み出す工程と、
　当該読み出した位置情報で特定されるサーバの特定領域に、当該読み出したファイルを転送するよう制御する工程とを、コンピュータに実行させるためのコードを含むことを特徴とするコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は、ファイル記録システム及びファイル転送方法に関し、より詳細には、デジタルカメラ等によって撮影され、メモリカード等に記録された画像ファイルをファイルサーバに転送するファイル記録システム及びファイル転送方法に関する。


【手続補正４】
【補正対象書類名】明細書
【補正対象項目名】０００８
【補正方法】変更
【補正の内容】
【０００８】
本発明は、このような問題に鑑みてなされたもので、その目的とするところは、ユーザが外出先においても撮影した画像データを容易に特定のファイルサーバに転送できるようにしたファイル記録システム及びファイル転送方法を提供することにある。


【手続補正５】
【補正対象書類名】明細書
【補正対象項目名】０００９
【補正方法】変更
【補正の内容】
【０００９】
【課題を解決するための手段】
本発明は、このような目的を達成するために、請求項１に記載の発明は、ファイル転送先の位置情報とファイルとを記憶した着脱可能な記録媒体から、前記ファイルと前記位置情報とを読み出す読み出し手段と、該読み出し手段によって読み出されたファイルを、前記読み出した位置情報によって特定されるサーバ上の特定領域に転送するファイル転送手段とを有することを特徴とする。
また、請求項２に記載の発明は、請求項１に記載の発明において、前記記録媒体に記憶されている前記位置情報は、書き換え禁止となっていることを特徴とする。
　また、請求項３に記載の発明は、請求項１に記載の発明において、前記記録媒体から前記サーバに正しく転送されたファイルを前記記録媒体から削除する削除手段を更に有することを特徴とする。
　また、請求項４に記載の発明は、請求項３に記載の発明において、前記記録媒体に記憶されたファイルは、すべて前記サーバに転送されることを特徴とする。
　また、請求項５に記載の発明は、請求項１に記載の発明において、前記記録媒体に記憶されたファイルの中から、前記ファイル転送手段で転送されるファイルをユーザに選択させる選択手段を更に有することを特徴とする。
　また、請求項６に記載の発明は、請求項１に記載の発明において、前記ファイルを格納する複数のサーバを更に有し、前記位置情報は前記複数のサーバの少なくともいずれかのサーバの特定領域を示すことを特徴とする。
　また、請求項７に記載の発明は、請求項１に記載の発明において、前記記録媒体に記憶されている前記位置情報は、ＵＲＬを含むことを特徴とする。
　また、請求項８に記載の発明は、請求項１に記載の発明において、前記位置情報は、前記メモリカードの出荷前、あるいは顧客への販売前に、前記記録媒体に記憶されていることを特徴とする。
　また、請求項９に記載の発明は、記録媒体に記憶されているファイルを、ネットワークを介して所定のサーバに転送するファイル転送方法であって、前記記録媒体に記憶されている前記ファイルと前記ファイルの転送先の位置情報とを該記録媒体から読み出す工程と、当該読み出した位置情報で特定されるサーバの特定領域に、当該読み出したファイルを転送するよう制御する工程とを備えたことを特徴とする。
　また、請求項１０に記載の発明は、請求項９に記載の発明において、前記記録媒体に記憶されている前記位置情報は、書き換え禁止となっていることを特徴とする。
　また、請求項１１に記載の発明は、請求項９に記載の発明において、前記記録媒体から前記サーバに正しく転送されたファイルを前記記録媒体から削除する削除工程を更に備えることを特徴とする。
　また、請求項１２に記載の発明は、請求項９に記載の発明において、前記記録媒体に記憶されたファイルは、すべて前記サーバに転送されることを特徴とする。
　また、請求項１３に記載の発明は、請求項９に記載の発明において、前記記録媒体に記憶されたファイルの中から、前記ファイル転送工程で転送されるファイルをユーザに選択させる選択工程を更に有することを特徴とする。
　また、請求項１４に記載の発明は、請求項９に記載の発明において、前記位置情報は、ファイルを格納する複数のサーバの少なくともいずれかのサーバの特定領域を示すことを特徴とする。
　また、請求項１５に記載の発明は、請求項９に記載の発明において、前記記録媒体に記憶されている前記位置情報は、ＵＲＬを含むことを特徴とする。
　また、請求項１６に記載の発明は、請求項９に記載の発明において、前記位置情報は、前記メモリカードの出荷前、あるいは顧客への販売前に、前記記録媒体に記憶されていることを特徴とする。
　また、請求項１７に記載の発明は、ファイルを記憶するための情報記憶媒体であって、取得したファイルを格納するファイル格納領域と、該ファイル格納領域に格納された前記ファイルを所定のサーバに転送し、該サーバの特定領域に格納する際に用いられる、前記サーバの特定領域のアドレス情報を格納するサーバアドレス情報格納領域とを有し、前記ファイルは、読み出し装置により読み出された際に、前記アドレス情報により特定されるサーバの特定領域に転送されることを特徴とする。
　また、請求項１８に記載の発明は、請求項１７に記載の発明において、前記サーバアドレス情報格納領域に格納されている前記位置情報は、書き換え禁止となっていることを特徴とする。
　また、請求項１９に記載の発明は、情報記憶媒体に記憶されているファイルを、ネットワークを介して所定のサーバに転送するように装置を制御するための、コンピュータ実行可能な制御プログラムであって、前記情報記憶媒体に記憶されている前記ファイルと前記ファイルの転送先の位置情報とを該情報記憶媒体から読み出す工程と、当該読み出した位置情報で特定されるサーバの特定領域に、当該読み出したファイルを転送するよう制御する工程とを、コンピュータに実行させるためのプログラムコードを含むことを特徴とする。
　また、請求項２０に記載の発明は、情報記憶媒体に記憶されているファイルを、ネットワークを介して所定のサーバに転送するように装置を制御するための、コンピュータ読み取り可能なコンピュータプログラムを格納した記憶媒体であって、該コンピュータプログラムが、前記記憶媒体に記憶されている前記ファイルと前記ファイルの転送先の位置情報とを該記憶媒体から読み出す工程と、当該読み出した位置情報で特定されるサーバの特定領域に、当該読み出したファイルを転送するよう制御する工程とを、コンピュータに実行させるためのコードを含むことを特徴とする。
【手続補正６】
【補正対象書類名】明細書
【補正対象項目名】００３４
【補正方法】削除
【補正の内容】
【手続補正７】
【補正対象書類名】明細書
【補正対象項目名】００３５
【補正方法】削除
【補正の内容】
【手続補正８】
【補正対象書類名】明細書
【補正対象項目名】００３６
【補正方法】削除
【補正の内容】
【手続補正９】
【補正対象書類名】明細書
【補正対象項目名】００３７
【補正方法】削除
【補正の内容】
【手続補正１０】
【補正対象書類名】明細書
【補正対象項目名】００３８
【補正方法】削除
【補正の内容】
【手続補正１１】
【補正対象書類名】明細書
【補正対象項目名】００３９
【補正方法】削除
【補正の内容】
【手続補正１２】
【補正対象書類名】明細書
【補正対象項目名】００４０
【補正方法】削除
【補正の内容】
【手続補正１３】
【補正対象書類名】明細書
【補正対象項目名】００４１
【補正方法】削除
【補正の内容】
【手続補正１４】
【補正対象書類名】明細書
【補正対象項目名】００４２
【補正方法】削除
【補正の内容】
【手続補正１５】
【補正対象書類名】明細書
【補正対象項目名】００４３
【補正方法】削除
【補正の内容】